(57)【要約】      （修正有）【課題】給湯器からの温水と水道水とを選択的に湯水混合水栓ユニットの水栓から排出できる給水給湯システムにおいて、別途戻り配管を施行しないことで施工コストを削減しながら、冷水が排出されないようにして無駄水をなくしかつ利用者に不快感を与えないようにした給水給湯システムを得る。【解決手段】給湯器２０からの給湯配管２４と上水配管３０とを接続する接続配管２７を設け、該接続配管２７に常閉の開閉弁２８を取り付け、給湯配管２４に循環ポンプ２５を取り付ける。利用者が給湯器２０を使用しようとするときに、制御部２１は、給湯配管２４に取り付けた温度センサー（熱電対）２６の温度ｔが予め設定した温度Ｔよりも低いか否かを判断し、低いときには、常閉の開閉弁２８を開き、循環ポンプ２５を作動する。それにより、給湯配管２４内の冷水は上水管３０を戻り配管として利用した循環流Ｒとなって給湯器２０に流入し、加熱される。【選択図】図１
2015025602.tif 000002
【特許請求の範囲】
【請求項１】
上水管に接続する湯水混合水栓ユニットと、バーナーを備える給湯器と、分岐部において上水管から分岐して前記給湯器の入水側に接続する給水配管と、前記給湯器の温水出側と前記湯水混合水栓ユニットとを接続する給湯配管と、少なくとも給湯モード選択スイッチを備えた制御部、とを少なくとも備える給水給湯システムであって、
前記給湯配管に配置され給湯配管中の温水温度を測定する温度センサーと、前記温度センサーと前記湯水混合水栓ユニットとの間における前記給湯配管と前記分岐部より下流側の前記上水管とを接続する接続配管と、前記接続配管に配置された常閉の開閉弁と、前記給湯配管または前記分岐部よりも下流側の上水管に配置された循環ポンプとを備え、
前記制御部は、給湯モードが選択されたときに、前記温度センサーが測温する温水温度ｔを読み取り、温水温度ｔが設定温度Ｔより低いときには、前記常閉の開閉弁を開操作して給湯配管と上水管とを連通した状態とするとともに前記循環ポンプを作動し、それにより上水管を戻り配管として利用することで、別途戻り配管を設置することなく、給湯配管内に滞留する低温水を上水管および給水配管を介して給湯器に再循環させるとともに、温水温度ｔが設定温度Ｔとなったときに、前記常閉の開閉弁を閉操作し循環ポンプを停止する操作を行うことを特徴とする給水給湯システム。
【請求項２】
前記制御部は即湯モード選択スイッチをさらに備え、前記制御部は即湯モードが選択されたときに、前記温度センサーによる温度情報の読み取り以降の操作を行うことを特徴とする請求項１に記載の給水給湯システム。
【請求項３】
前記制御部は、給湯モードまたは即湯モードが選択されたときに、前記温度センサーの測定温度が設定温度Ｔ以下であることを利用者に報知する第１の報知手段を備えることを特徴とする請求項１または２に記載の給水給湯システム。
【請求項４】
前記制御部は、制御部が前記常閉の開閉弁を閉操作し循環ポンプを停止する操作を行ったことを利用者に報知する第２の報知手段を備えることを特徴とする請求項１ないし３のいずれか一項に記載の給水給湯システム。
【請求項５】
前記制御部は、制御部が前記常閉の開閉弁を閉操作し循環ポンプを停止する操作を行った後に、湯水混合水栓ユニットの水栓が開かれるまでの時間を計測する手段を備え、設定時間Ｓを経過しても水栓が開かれない場合には、システムの運転を停止することを特徴とする請求項１ないし４のいずれか一項に記載の給水給湯システム。
【発明の詳細な説明】
【技術分野】
【０００１】
本発明は、上水管に接続する湯水混合水栓ユニットと、給湯器と、制御部とを備える給水給湯システムに関する。
【背景技術】
【０００２】
一般に、水道水は、上水管である水道管に接続した水栓から利用者側に供給される。都市ガス等を燃料とするバーナーと熱交換器とを備えた給湯器も広く用いられており、上水管からの常温の水道水と給湯器で加温された後の水道水（温水）とを選択的に、または両者を適宜の混合比で混合した温水を水栓から供給できるようにした湯水混合水栓ユニットも用いられている。給湯器を使用しないモードで水栓を開くと、上水管からの常温水のみが水栓から給水され、給湯モードを選択して水栓を開くと、湯水混合水栓ユニットの操作レバーで設定される常温水と温水の混合比に応じた温度の温水が水栓から給湯される。
【０００３】
給湯器を用いた通常の給水給湯システムの場合、給湯器と水栓の間にはある程度の距離があること、および給湯開始時には給湯器も給湯用の配管も常温であることから、水栓を開いてから適温の温水が水栓から出てくるまでに多少の時間が必要となっている。使用者にとって、適温になるまでに水栓から排出される常温水は使用に供さない場合があり、その場合には、適温になるまでの出水は無駄に排水されているといえる。
【０００４】
このような無駄水をなくすための給湯システムが特許文献１に提案されている。特許文献１に記載の給湯システムでは、給湯器からの温水を給湯栓に送る給湯配管に温度センサーを配置するとともに、温度センサーより下流側で給湯配管から分岐する戻り配管を給湯器の入水側に接続することで、循環回路を形成し、該循環回路に温水循環ポンプを取り付けるようにしている。上記給湯システムは、即湯選択スイッチをさらに備えており、制御部は、即湯選択スイッチからの選択信号を受けたときに、温度センサーが測温する温水温度ｔを読み取り、読み取った温水温度ｔが設定温度Ｔより低いときには、温水循環ポンプを駆動して給湯配管内の温水を戻り配管および給水配管を介して給湯器に循環させて再加熱し、検出温度ｔが設定温度Ｔより高くなったときに温水循環ポンプの駆動を停止するとともに、その旨を使用者に報知するようになっている。
【先行技術文献】
【特許文献】
【０００５】
【特許文献１】特開２０１３−１５２６３号公報
【発明の概要】
【発明が解決しようとする課題】
【０００６】
特許文献１に記載される形態の給湯システムでは、給湯配管内の温水温度ｔが設定温度Ｔより低いときには、給湯配管内の温水を給湯器に再循環させて加熱し、設定温度Ｔよりも高い温度となったときに、その旨を使用者に報知する。そして、使用者は報知を受けた後に水栓を開くことで、そのときから適温の温水を使用することができ、かつ、それまでに無駄水が流されることもない。特許文献１に記載の給湯システムは、給湯器の使用を前提としており、利用者が望む場合に、給湯器を使用しない状態で、水栓から常温の水道水を上水管から直接に排水できるようにすることについては特に記載がされていない。
【０００７】
本発明は、上記の事情に鑑みてなされたものであり、給湯器からの温水と上水管からの常温の水道水とを選択的に水栓から排水することが可能であり、かつ、給湯器を利用して温水を得ようとするときには、給湯配管に滞留している低温の温水を既存の上水管を戻り配管として利用して給湯器側に再循環させることで、冷水が水栓から排出されないようにし、それにより施行コストを低減しながら、無駄水をなくすと同時に利用者に冷水に触れる不快感を与えないようにした給水給湯システムを提供することを課題とする。
【課題を解決するための手段】
【０００８】
本発明による給水給湯システムは、上水管に接続する湯水混合水栓ユニットと、バーナーを備える給湯器と、分岐部において上水管から分岐して前記給湯器の入水側に接続する給水配管と、前記給湯器の温水出側と前記湯水混合水栓ユニットとを接続する給湯配管と、少なくとも給湯モード選択スイッチを備えた制御部、とを少なくとも備える給水給湯システムであって、前記給湯配管に配置され給湯配管中の温水温度を測定する温度センサーと、前記温度センサーと前記湯水混合水栓ユニットとの間における前記給湯配管と前記分岐部より下流側の前記上水管とを接続する接続配管と、前記接続配管に配置された常閉の開閉弁と、前記給湯配管または前記分岐部よりも下流側の上水管に配置された循環ポンプとを備え、前記制御部は、給湯モードが選択されたときに、前記温度センサーが測温する温水温度ｔを読み取り、温水温度ｔが設定温度Ｔより低いときには、前記常閉の開閉弁を開操作して給湯配管と上水管とを連通した状態とするとともに前記循環ポンプを作動し、それにより上水管を戻り配管として利用することで、別途戻り配管を設置することなく、給湯配管内に滞留する低温水を上水管および給水配管を介して給湯器に再循環させるとともに、温水温度ｔが設定温度Ｔとなったときに、前記常閉の開閉弁を閉操作し循環ポンプを停止する操作を行うことを特徴とする。
【０００９】
本発明による給水給湯システムでは、使用者が給湯モードを選択しないとき、すなわち給湯器からの温水を必要としないときは、湯水混合水栓ユニットの操作レバーを操作して出水状態とする。それにより、上水管（例えば、水道管）からの常温の上水（水道水）は、そのまま上水管を通って、湯水混合水栓ユニットの水栓から排水される。なお、この状態では、給湯器側に水の流れは生じないので、給湯器が稼働状態（バーナーｏｎの状態）となることない。
【００１０】
利用者が温水を望む場合には、利用者は、制御部に備えられた給湯モードスイッチをｏｎにすることで給湯モードに切り替える。給湯モードへの切り替えを制御部が検知すると、制御部は給湯配管に配置された温度センサーが測温する温水温度ｔを読み取る。読み取った温水温度ｔが設定温度Ｔと等しいかそれより高いときは、制御部は、通常の運転を継続する。利用者が湯水混合水栓ユニットの水栓を開くと、上水管からの上水は、給水配管を通って給湯器に流入し、水流により給湯器は稼働状態（バーナーｏｎの状態）となり、温水が給湯配管を通って湯水混合水栓ユニットに流入する。そして、湯水混合水栓ユニットの水栓（蛇口）からは、湯水混合水栓ユニットの操作レバーで設定される、常温の上水と給湯器からの温水の混合比に応じた温度の温水が排水される。
【００１１】
温度センサーが測温する温水温度ｔが設定温度Ｔよりも低いときは、制御部は、前記接続配管に配置した常閉の開閉弁を開操作して給湯配管と上水管とを連通した状態とし、循環ポンプを作動させる。それにより上水管は戻り配管として利用されることとなり、別途戻り配管を設置することなく、給湯配管内に滞留している温水は、開となった開閉弁を通って接続配管から上水管側に流入し、上水管内に滞留している上水とともに、給水配管を通って給湯器内に再循環する。循環流が生じたことで給湯器は稼働状態（バーナーｏｎの状態）となり、循環水は次第に加熱されて昇温する。循環水の温度は温度センサーによって測温されており、測温温度が設定温度Ｔ以上となったときに、制御部は、前記常閉の開閉弁を閉操作し、循環ポンプを停止する。それ以降、制御部は、通常の運転を継続する。利用者は湯水混合水栓ユニットの水栓の蛇口を開くと、湯水混合水栓ユニットの水栓から、湯水混合水栓ユニットの操作レバーで設定される、常温の上水と給湯器からの温水の混合比に応じた温度の温水が排水される。
【００１２】
上記のように、本発明による給水給湯システムでは、利用者が給湯器の使用を選択しない場合には、上水管からの常温の上水をそのまま湯水混合水栓ユニットの水栓から得ることができる。また、給湯器の使用を選択する場合には、給湯器で昇温した温水をそのままで、あるいは上水と混合することで所望温度となった温水を、湯水混合水栓ユニットの水栓から得ることができる。
【００１３】
冬場などのように、冷水が蛇口から出てくるのを嫌うときには、利用者は、給湯モードを選択する。それにより、給水給湯システムの配管系に滞留して温度が低くなった水は、そのまま排水されることはなく、給湯器側に戻されて所定の温度に昇温し、昇温後の温水が湯水混合水栓ユニットの水栓から排出されるので、無駄水をなくすことができ、かつ利用者に不快感を与えることのない給水給湯システムとなる。
【００１４】
また、後に詳しく述べるが、本発明による給水給湯システムは、従来の上水管に接続する湯水混合水栓ユニットと給湯器とを備えた給水給湯システムに対して、前記温度センサーと、前記接続配管と、前記接続配管に配置された常閉の開閉弁と、前記給湯配管または前記分岐部よりも下流側の上水管に配置された循環ポンプとを付加するだけで所期の目的を達成することが可能であり、別途戻り配管を施行する必要がないことから、前記特許文献１に記載の給湯システムに同じ機能を持たせる場合と比較して、施工時のコストを削減することができる。
【００１５】
本発明による給水給湯システムの一態様では、前記制御部は即湯モード選択スイッチをさらに備え、前記制御部は即湯モードが選択されたときに、前記温度センサーによる温度情報の読み取り以降の操作を行うことを特徴とする。この態様では、夏場などにおいて、使用者が給湯モードを選択した場合であっても、水栓を開いた直後に設定温度Ｔよりも低い温度の水（温水）が湯水混合水栓ユニットの水栓から排出されるのを厭わない場合に、水栓から出てくる排水の温度を設定温度まで上昇させる操作を省略してシステムを使用することが可能となり、システム使用の自由度が、より大きくなる。
【００１６】
本発明による給水給湯システムの一態様では、前記制御部は、給湯モードまたは即湯モードが選択されたときに、前記温度センサーの測定温度が設定温度Ｔ以下であることを利用者に報知する第１の報知手段を備えることを特徴とする。また、本発明による給水給湯システムの一態様では、前記制御部は、制御部が前記常閉の開閉弁を閉操作し循環ポンプを停止する操作を行ったことを利用者に報知する第２の報知手段を備えることを特徴とする。このような第１の報知手段およびまたは第２の報知手段を備えることで、利用者は、水栓を開くタイミングを的確に把握することが可能となり、給水給湯システムは一層使用しやすくなる。
【００１７】
本発明による給水給湯システムの一態様では、前記制御部は、制御部が前記常閉の開閉弁を閉操作し循環ポンプを停止する操作を行った後に、湯水混合水栓ユニットの水栓が開かれるまでの時間を計測する手段を備えており、設定時間Ｓを経過しても水栓が開かれない場合には、システムの運転を停止することを特徴とする。
【００１８】
上記のように、本発明による給水給湯システムでは、制御部は、温度センサーが測温する温水温度ｔが設定温度Ｔとなったときに前記常閉の開閉弁を閉操作し循環ポンプを停止する操作を行う。その後、短い時間内に湯水混合水栓ユニットの水栓が開かれれば、設定温度Ｔに近い温度の温水が蛇口から排出される。しかし、長時間にわたって、湯水混合水栓ユニットの水栓が開かれないと、給湯配管内の温水温度は再び低下し、給湯モードが選択された状態が継続していると、制御部は、再度、前記常閉の開閉弁を開操作し前記循環ポンプを作動させて、給湯器を稼働状態（バーナーｏｎの状態）とする。利用者が給湯モード（または、即湯モード）を選択しておきながら、長時間にわたって湯水混合水栓ユニットの水栓が開かれないことは、何らかの都合により、使用者は温水の利用を望まなくなったことを意味しており、その間、給湯器がバーナーの燃焼と停止を反覆することは、エネルギーの無駄な消費となる。上記形態の給水給湯システムでは、その不都合が発生するのを効果的に解消することができる。
【発明の効果】
【００１９】
本発明によれば、給湯器からの温水と上水管からの常温の水道水とを選択的に湯水混合水栓ユニットの水栓から排出できるようにされた給水給湯システムにおいて、上水管を戻り配管として利用できるようにしたことで、少ない施工コストの追加でもって、給湯器を利用して温水を得ようとするときに冷水が排出されないようにして無駄水をなくしかつ利用者に不快感を与えることのないようにした給水給湯システムを得ることができる。
【図面の簡単な説明】
【００２０】
【図１】本発明による給水給湯システムの配管系を説明する模式図。
【図２】従来の給湯システムに湯水混合水栓ユニットを採用して給水給湯システムとする場合の配管系の模式図。
【図３】本発明による給水給湯システムの作動の一例を示すフロー図。
【図４】本発明による給水給湯システムの作動の他の例を示すフロー図。
【発明を実施するための形態】
【００２１】
以下に、図面を参照しながら、本発明による給水給湯システムの一実施の形態を説明する。
【００２２】
［従来の給水給湯システムの場合］
最初に、図２を参照しながら、前記した特許文献１に記載される形態の従来の給湯システムに湯水混合水栓ユニットを取り付け、給湯器からの温水と上水管からの常温の水道水とを選択的に、または湯水混合水栓ユニットの操作レバーで設定される常温水と温水の混合比に応じた温度の温水を水栓から給湯されるようにする場合の配管系について、説明する。
【００２３】
図２に示す給水給湯システムＡ１において、１０は湯水混合水栓ユニットであり、水栓１１と操作レバー１２とを備えている。２０は従来知られた給湯器であり、図示しないが熱源としてのガスバーナーと気液熱交換器とを備えている。３０は上水管としての水道管であり、湯水混合水栓ユニット１０に接続している。上水管３０からは、分岐部３１において給水配管３２が分岐しており、該給水配管３２は、給湯器２０の給水側に接続している。給湯器２０の温水出側には給湯配管２４が接続しており、該給湯配管２４も湯水混合水栓ユニット１０に接続している。上水管３０からの常温の水道水と給湯配管２４からの温水は、操作レバー１２で設定される混合比に応じた割合で混合されて水栓１１から排出される。さらに、給湯配管２４の湯水混合水栓ユニット１０に接続する部位近傍からは戻り配管４０が分岐しており、該戻り配管４０は前記給水配管３２に接続している。
【００２４】
給湯器２０は、制御部２１と給湯モード選択スイッチ２２および即湯モード選択スイッチ２３を備えている。利用者が給湯モード選択スイッチ２２を押すと、制御部２１は、上水が給水配管３２から熱交換器を通って給湯配管２４に流通することを許可するとともに、上水の流れを検知して、ガスバーナーに点火する。さらに、給水給湯システムＡ１は、前記給湯配管２４に循環ポンプ２５と熱電対２６とを配置しており、該熱電対２６は、給湯配管２４内を流れる温水温度を測温する温度センサーとして機能する。
【００２５】
給水あるいは給湯を得たい場合に、利用者が湯水混合水栓ユニット１０の水栓１１を開く。そのときに給湯モード選択スイッチ２２が押されていない場合には、操作レバー１２での開度に応じた量の水道水が、水栓１１から排出される。給湯モード選択スイッチ２２が押されている場合は、上水管３０からの上水は給水配管３２を通って給湯器２０内に流入する。水流を検知して制御部２１はガスバーナーに点火する。
【００２６】
ガスバーナーの火炎熱と熱交換した上水は、温水となって給湯配管２４に流入し、前記したように操作レバー１２で設定された混合比に応じた割合で上水と混合した後、水栓１１から排出される。その際に、給湯開始当初は、給湯配管２４内に滞留していた常温水が水栓から排出されるので、利用者は不愉快を感じ、所要に昇温した温水が出てくるまで、そのまま排水を続ける。この排水は無駄水となる。
【００２７】
この無駄水を回避しようと利用者が望む場合には、利用者は、開栓に先立って、前記即湯モード選択スイッチ２３を押す。その信号を受け、制御部２１は熱電対２６からの温度情報、すなわち温水温度ｔの読み出しを開始する。温水温度ｔが予め設定した温度Ｔよりも低い場合には、そのまま排水すると利用者に不快感を与えるので、適宜の手段によりその旨を利用者に知らせるとともに、循環ポンプ２５を作動する。循環ポンプ２５の作動により、給湯配管２４、戻り配管４０および給水配管３２内に滞留している常温水は、循環移動を開始する。水の流れを検知して制御部２１はバーナーに点火する。循環する水は火炎熱と熱交換して昇温する。制御部２１は、循環水の温度が予め設定した温度Ｔに達したことを検知したときに、適宜の手段によりその旨を利用者に知らせる。利用者は、その知らせを受けた後に、水栓１１を開くことで、開栓当初から所要の温度に昇温した温水を入手することができる。また、無駄水が発生することもない。
【００２８】
［本発明による給水給湯システム］
上記のように、図２に示す給水給湯システムＡ１では、システム構成に当たって、上水管３０に加えて、給湯器２０からの給湯配管２４と、給水配管３２への戻り配管４０の３本の配管を必要としており、施工の手間と費用が大きくなっている。本発明による給水給湯システムＡは、その不都合を解消する。以下、図１を参照しながら、その実施の形態を説明する。なお、図１において、図２に示したものと同じ機能を果たす部材には同じ符号を付し、重複した説明は省略する。
【００２９】
［第１の実施の形態］
図１に示すように、本発明による給水給湯システムＡは、図２に示したシステムＡ１で必要とした戻り配管４０を備えない。それに代わるものとして、給湯配管２４と上水管３０とを接続する接続配管２７と、該接続配管２７に配置した常閉の開閉弁２８とを備える。前記接続配管２７は、前記給湯配管２４における温度センサーとして機能する熱電対２６の取り付け位置と湯水混合水栓ユニット１０への接続部の間の位置と、上水管３０の湯水混合水栓ユニット１０への接続部に近い位置とを接続するようにして設けられており、該接続配管２７に前記常閉の開閉弁２８が取り付けられている。また、上水管３０の前記給水配管３２が分岐する前記分岐部３１より直上流側には逆止弁３３が取り付けられている。
【００３０】
上記第１の実施の形態である給水給湯システムＡの作動を図３に示すフロー図も参照しながら説明する。
制御部２１は、給湯モード選択スイッチ２２と即湯モード選択スイッチ２３を備えている。制御部２１は、最初に、即湯モード選択スイッチ２３がｏｎかｏｆｆかを判断する（Ｓ１）。即湯モード選択スイッチ２３がｏｆｆの場合には、給湯モード選択スイッチ２２がｏｎかｏｆｆかを判断する（Ｓ２）。給湯モード選択スイッチ２２がｏｆｆの場合は、利用者が給湯器２０の使用を望まない場合であり、その場合には、通常の出水処理（Ｓ３）が進行する。すなわち、湯水混合水栓ユニット１０の水栓１１からは、常温の水道水のみが出水する。
【００３１】
給湯モード選択スイッチ２２がｏｎの場合には、給湯器２０の通常運転が始まる。すなわち、制御部２１は水栓１１の蛇口が開かどうかを判断し（Ｓ４）、開の場合には、上水が給水配管３２から熱交換器を通って給湯配管２４に流通することを許可するとともに、上水の流れを検知して、ガスバーナーに点火する（Ｓ５）。それにより、上水は熱交換器を通過することで温水となり、給湯配管２４を通って湯水混合水栓ユニット１０の水栓１１から排出される。利用者が蛇口を閉じると（Ｓ６）、給湯器２０を流れる水流が停止するので、制御部２１はそれを検知し、バーナーの燃焼を停止する（Ｓ７）。また、この例において、制御部２１は、給湯モード選択スイッチ２２がｏｎとなってから以降の時間を計測しており（Ｓ８）、設定時間内に蛇口が開くかどうかを監視する（Ｓ９）。開いた場合には、Ｓ５以下に処理を行う。開かない場合には、利用者が給湯器の使用を途中から放棄した場合であり、処理を終了する。
【００３２】
Ｓ１で即湯モード選択スイッチ２３がｏｎの場合、制御部２１は、給湯配管２４に取り付けた温度センサー（熱電対）２６の検知温度ｔを読み出し、検知温度ｔが設定温度Ｔ以上であるかどうかを判断する（Ｓ１０）。ＮＯの場合、すなわち、検知温度ｔが設定温度Ｔ未満の場合には、そのまま水栓１１から出水すると使用者に不快感を与えるので、音や光等の手段により、出湯準備が不完了であることを利用者に報知する（Ｓ１１）。それと並行して、前記した給湯配管２４と上水管３０とを接続する接続配管２７に配置した常閉の開閉弁(電磁弁)２８に制御電圧を供給して電磁弁２８を開とし（Ｓ１２）、また循環ポンプ２５を駆動する（Ｓ１３）。
【００３３】
循環ポンプ２５が駆動することで、給湯配管２４内に滞留していた低温水は、接続配管２７と上水管３０を通り、分岐部３１から給水管３２内に流入して給湯器２０内に入り込む。すなわち、給湯配管２４内に滞留していた低温水は、分岐部３１より下流側の上水管３０および給水管３２内に滞留していた上水とともに、給湯器２０内を循環する循環流Ｒとなる。なお、給水配管３２が分岐する分岐部３１より上流側における上水管３０には、逆止弁３３が取り付けられているので、循環流Ｒがより上流側の上水管に流れ込むことはない。
【００３４】
この循環流Ｒの水流を検知して、制御部２１は、バーナーを点火する（Ｓ１４）。バーナー火炎の熱と熱交換することで循環流Ｒの温度は、次第に上昇する。そして、Ｓ１０に戻り、制御部２１が循環流Ｒの温度ｔが設定温度Ｔになったことを検知すると、制御部２１は、制御電圧を遮断し、それにより電磁弁２８を常閉の状態に戻す（Ｓ１５）とともに、循環ポンプ２５の作動を停止する（Ｓ１６）。循環ポンプ２５が停止することで、循環流Ｒの流れも停止し、それを検知して制御部２１はバーナーの燃焼を停止する（Ｓ１７）。その状態で、制御部２１は、出湯準備が完了したことを適宜の手段で利用者に報知する（Ｓ１８）。その後は、前記したＳ４以下の処理が進行する。
【００３５】
上記のように、本発明による給水給湯システムＡでは、前記給湯配管２４と上水管３０とを接続する接続配管２７と、該接続配管２７に配置した常閉の開閉弁２８とを設けることで、従来のこの種のシステムが必要としていた「戻り配管４０」を構成から削除することが可能となり、構成の簡素化が得られる。換言すれば、同じ目的を達成するのに、３管構成ではなく、２管構成で行うことが可能となり、施工コストの低減が可能となる。
【００３６】
なお、図１に示した形態では、給湯器２０に給湯モード選択スイッチ２２と即湯モード選択スイッチ２３が物理的に取り付けられているものとして例示したが、湯水混合水栓ユニット１０の近傍など、利用者がアクセスしやすい場所に給湯モード選択スイッチ２２と即湯モード選択スイッチ２３の双方またはいずれか一方を配置し、有線または無線により給湯器２０の制御部２１と情報のやり取りを行うようにすることもできる。
【００３７】
［第２の実施の形態］
上記第１の実施の形態では、制御部２０は、給湯モード選択スイッチ２２と即湯モード選択スイッチ２３を備えるものとしたが、第２の実施の形態では、図示しないが、制御部２１は、給湯モード選択スイッチ２２のみを備え、即湯モード選択スイッチ２３を備えない。以下に、第２の実施の形態である給水給湯システムＡの作動を図４に示すフロー図を用いて説明する。
【００３８】
最初に、制御部２１は、給湯モード選択スイッチ２２がｏｎかｏｆｆかを判断する（Ｓ２０）。給湯モード選択スイッチ２２がｏｆｆの場合は、利用者が給湯器１０の使用を望まない場合であり、その場合には、通常の出水処理（Ｓ２１）が進行する。すなわち、湯水混合水栓ユニット１０の水栓１１からは、常温の水道水のみが出水する。
【００３９】
給湯モード選択スイッチ２２がｏｎの場合には、制御部２１は、図３に基づき説明したＳ１０〜Ｓ１８のステップを実行し、Ｓ１８で準備完了を報知した後は、図３に示したＳ４〜Ｓ９のステップを実行する。なお、各ステップの説明はここでは省略する。このように、第２の実施の形態では、利用者が給湯器２０の使用を選択した場合には、常に、利用者に不快感を与えない温度の温水が水栓１１から出ることとなる。なお、ここでも、Ｓ８とＳ９のステップを省略するように、制御部２１を設計することもできる。
【００４０】
［他の実施の形態］
図１に示した給水給湯システムＡでは、循環ポンプ２５を給湯配管２４に取り付けているが、図示しないが、分岐部３１より下流側の上水管３０の部分に循環ポンプ２５を取り付けても、所期の目的は達成可能である。また、図１では、循環ポンプ２５および逆止弁３３を給湯器２０の外側にある配管に取り付けるようにしているが、その双方またはいずれかを給湯器２０内に位置する配管に取り付けるようにしてもよい。
【符号の説明】
【００４１】
Ａ…本発明による給水給湯システム、
Ｒ…循環流、
１０…湯水混合水栓ユニット、
１１…水栓、
１２…操作レバー、
２０…給湯器、
２１…制御部、
２２…給湯モード選択スイッチ、
２３…即湯モード選択スイッチ、
２４…給湯配管、
２５…循環ポンプ、
２６…温度センサーとして機能する熱電対、
２７…接続配管、
２８…常閉の開閉弁、
３０…上水管、
３１…分岐部、
３２…給水配管、
３３…逆止弁。
【図１】
2015025602.tif 000003
【図２】
2015025602.tif 000004
【図３】
2015025602.tif 000005
【図４】
2015025602.tif 000006